(57)【要約】      （修正有）【課題】ＴＶの映像品質を良好な状態に保ちつつ、携帯端末の連続使用時間が短くなるのを抑制することができる。【解決手段】携帯端末１０は、ＤＴＶチューナ２０を含む。ＤＴＶチューナ２０は、アンテナ１８によって受信したデジタル放送信号をデジタル復調すると共に、デジタル放送信号の電界強度を示す電界強度信号をプロセッサ２２に出力する。ＤＣＤＣコンバータ２４は、バッテリィ２６から供給された直流電圧を携帯端末１０に対応する直流電圧に変換する。また、ＤＣＤＣコンバータ２４は、スイッチング制御部にＰＦＭ制御回路およびＰＷＭ制御回路を備え、プロセッサ２２によってＰＦＭ制御回路とＰＦＭ制御回路とを切り替える。【選択図】図１
2009033591.tif 000002
【特許請求の範囲】
【請求項１】
少なくとも２つのスイッチング制御モードのいずれか１つを選択してスイッチング制御を行うＤＣＤＣコンバータおよび放送波を受信する放送波受信手段を有する携帯端末において、
前記放送波受信手段の受信レベルによって前記ＤＣＤＣコンバータに特定のスイッチング制御モードを選択させる選択手段を備えることを特徴とする、携帯端末。
【請求項２】
前記少なくとも２つのスイッチング制御モードは、ＰＦＭ制御モード、およびＰＷＭ制御モードを含む、請求項１記載の携帯端末。
【請求項３】
前記ＤＣＤＣコンバータは、少なくとも２つのスイッチング制御回路をさらに備え、
前記２つのスイッチング制御回路は、前記ＰＦＭ制御モードとしてスイッチング制御を行うＰＦＭ制御回路、および前記ＰＷＭ制御モードとしてスイッチング制御を行うＰＷＭ制御回路を含み、前記選択手段は、前記ＤＣＤＣコンバータに前記少なくとも２つのスイッチング制御回路を選択させる、請求項２記載の携帯端末。
【請求項４】
前記選択手段は、前記放送波受信手段の受信レベルが閾値以上か否かを判別する判別手段、前記判別手段の結果が肯定的である場合に前記ＰＦＭ制御モードまたは前記ＰＦＭ制御回路を選択させる第１選択手段、および前記判別手段の結果が否定的である場合に前記ＰＷＭ制御モードまたは前記ＰＷＭ制御回路を選択させる第２選択手段を含む、請求項２または３記載の携帯端末。
【請求項５】
前記放送波受信手段は、デジタル放送信号を受信するデジタル放送波受信手段を含む、請求項１ないし４のいずれかに記載の携帯端末。
【発明の詳細な説明】
【技術分野】
【０００１】
この発明は、携帯端末に関し、特にたとえばＤＣＤＣコンバータを有する、携帯端末に関する。
【背景技術】
【０００２】
この種の装置の一例が、特許文献１に開示されている。この背景技術によれば、通信端末などの電源回路には、２つのスイッチング制御回路を切り替えるＤＣＤＣコンバータが使用されている。２つのスイッチング制御回路には、ＤＣＤＣコンバータの消費する電力が小さいＰＦＭ（Pulse Frequency Modulation）制御回路およびＤＣＤＣコンバータの消費する電力が大きいＰＷＭ（Pulse Width Modulation）制御回路を採用している。そして、ＤＣＤＣコンバータは、それ自身の負荷およびＤＣＤＣコンバータ内部の素子の電位差に基づいてスイッチング制御方式を切り替える。
【特許文献１】特開平１１−８９２２２号公報［H02M 3/155, H02J 3/18, H03K 19/096］
【発明の開示】
【発明が解決しようとする課題】
【０００３】
ところで、近年では、ＴＶチューナを内蔵し、ＴＶ受像機能を備える携帯端末にもＤＣＤＣコンバータの利用が広がっている。しかし、背景技術では、ＴＶチューナの受信レベルが弱い状態で、ＤＣＤＣコンバータがＰＦＭ制御回路によってスイッチング制御を行うことがあり、その場合、ＤＣＤＣコンバータから発生するノイズの影響によってＴＶの映像品質が劣化する問題がある。
【０００４】
なお、ＴＶの映像品質を考慮して、常にＤＣＤＣコンバータがＰＷＭ制御回路によってスイッチング制御を行うようにすると、ＤＣＤＣコンバータの消費する電力が大きくなり、携帯端末の連続使用時間が短くなる新たな問題が発生する。
【０００５】
それゆえに、この発明の主たる目的は、新規な、携帯端末を提供することである。
【０００６】
この発明の他の目的は、ＴＶの映像品質を良好な状態に保ちつつ、携帯端末の連続使用時間が短くなるのを抑制することができる、携帯端末を提供することである。
【課題を解決するための手段】
【０００７】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００８】
第１の発明は、少なくとも２つのスイッチング制御モードのいずれか１つを選択してスイッチング制御を行うＤＣＤＣコンバータおよび放送波を受信する放送波受信手段を有する携帯端末である。この携帯端末は、放送波受信手段の受信レベルによってＤＣＤＣコンバータに特定のスイッチング制御モードを選択させる選択手段を備えることを特徴とする。
【０００９】
第１の発明では、携帯端末 （１０：実施例で相当する参照符号。以下同じ）は、少なくとも２つのスイッチング制御回路（３２，３４）のいずれか１つを選択してスイッチング制御を行うＤＣＤＣコンバータ（２４）および放送波を受信する放送波受信手段（２０）を有する。選択手段（Ｓ３，Ｓ５，Ｓ７）は、放送波受信手段の受信レベルによってＤＣＤＣコンバータに特定のスイッチング制御モードを選択させる。たとえば、放送波受信手段がデジタルチューナである場合に、ＤＣＤＣコンバータは、デジタルチューナが受信するデジタル放送信号の電界強度の値によって、特定のスイッチング制御モードを選択させる。
【００１０】
第１の発明によれば、放送波受信手段の受信レベルによって、ＤＣＤＣコンバータに特定のスイッチング制御回路を選択させるため、携帯端末は、放送波受信手段の受信レベルに基づいて、ＤＣＤＣコンバータのスイッチング制御モードを切り替えることができる。これによって、ＴＶの映像品質を良好な状態に保ちつつ、携帯端末の連続使用時間が短くなるのを抑制することができる。
【００１１】
第２の発明は、第１の発明に従属し、少なくとも２つのスイッチング制御モードは、ＰＦＭ制御モード、およびＰＷＭ制御モードを含む。
【００１２】
第２の発明では、少なくとも２つのスイッチング制御モードは、ＤＣＤＣコンバータの消費する電力は小さいが発生するノイズは多いＰＦＭ制御モード（３２）およびＤＣＤＣコンバータの消費する電力は大きいが発生するノイズは少ないＰＷＭ制御モード（３４）を含む。つまり、選択手段は、放送波受信手段の受信レベルによって、ＤＣＤＣコンバータにＰＦＭ制御モードまたはＰＷＭ制御モードを選択させる。
【００１３】
第２の発明によれば、携帯端末は、放送波受信手段の受信レベルに基づいて、ＰＦＭ制御モードとＰＷＭ制御モードとを切り替えることができる。また、放送波受信手段の受信レベルが強い状態でＰＦＭ制御モードが選択されれば、ＰＷＭ制御モードが選択された場合よりも、携帯端末の連続使用時間を長くすることができる。さらに、放送波受信手段の受信レベルが弱い状態でＰＷＭ制御モードが選択されれば、ＰＦＭ制御モードが選択された場合よりも、デジタルＴＶの映像品質が良好な状態となる。これによって、ＴＶの映像品質を良好な状態に保ちつつ、携帯端末の連続使用時間が短くなるのを抑制することができる。
【００１４】
第３の発明は、第２の発明に従属し、ＤＣＤＣコンバータは、少なくとも２つのスイッチング制御回路をさらに備え、２つのスイッチング制御回路は、ＰＦＭ制御モードとしてスイッチング制御を行うＰＦＭ制御回路、およびＰＷＭ制御モードとしてスイッチング制御を行うＰＷＭ制御回路を含み、選択手段は、ＤＣＤＣコンバータに少なくとも２つのスイッチング制御回路を選択させる。
【００１５】
第３の発明では、ＤＣＤＣコンバータは、少なくとも２つのスイッチング制御回路を備える。ＰＦＭ制御回路（３２）は、ＤＣＤＣコンバータのスイッチング制御モードの１つであるＰＦＭ制御モードとしてスイッチング制御を行う。ＰＷＭ制御回路（３４）は、ＤＣＤＣコンバータのスイッチング制御モードの１つであるＰＷＭ制御モードとしてスイッチング制御を行う。そして、選択手段は、ＤＣＤＣコンバータに少なくとも２つのスイッチング制御回路を選択させる。
【００１６】
第３の発明によれば、選択手段は、放送波受信手段の受信レベルによって、ＤＣＤＣコンバータに少なくとも２つのスイッチング制御回路を選択させるため、携帯端末は、放送波受信手段の受信レベルに基づいて、ＤＣＤＣコンバータのＰＦＭ制御回路またはＰＷＭ制御回路を切り替えることができる。これによって、ＴＶの映像品質を良好な状態に保ちつつ、携帯端末の連続使用時間が短くなるのを抑制することができる。
【００１７】
第４の発明は、第２または第３の発明に従属し、選択手段は、放送波受信手段の受信レベルが閾値以上か否かを判別する判別手段、判別手段の結果が肯定的である場合にＰＦＭ制御モードまたはＰＦＭ制御回路を選択させる第１選択手段、および判別手段の結果が否定的である場合にＰＷＭ制御モードまたはＰＷＭ制御回路を選択させる第２選択手段を含む。
【００１８】
第４の発明では、判別手段（Ｓ３）は、放送波受信手段の受信レベルが閾値以上か否かを判別する。第１選択手段（Ｓ５）は、判別手段の結果が肯定的である場合にＰＦＭ制御モードまたはＰＦＭ制御回路を選択させる。第２選択手段（Ｓ７）は、判別手段の結果が否定的である場合にＰＷＭ制御モードまたはＰＷＭ制御回路を選択させる。よって、閾値以上であれば、放送波受信手段の受信レベルが強い状態となり、閾値未満であれば、放送波受信手段の受信レベルが弱い状態となる。そして、閾値以上であれば、ＤＣＤＣコンバータにＰＦＭ制御モードまたはＰＦＭ制御回路を選択させる。また、閾値未満であればＤＣＤＣコンバータにＰＷＭ制御モードまたはＰＷＭ制御回路を選択させる。
【００１９】
第４の発明によれば、携帯端末は、放送波受信手段の受信レベルに基づいて、ＤＣＤＣコンバータのＰＦＭ制御モードまたはＰＦＭ制御回路と、ＰＷＭ制御モードまたはＰＷＭ制御回路とを切り替えることができる。これによって、ＴＶの映像品質を良好な状態に保ちつつ、携帯端末の連続使用時間が短くなるのを抑制することができる。
【００２０】
第５の発明は、第１ないし第４の発明に従属し、放送波受信手段は、デジタル放送信号を受信するデジタル放送波受信手段を含む。
【００２１】
第５の発明では、デジタル放送波受信手段（２０）は、デジタル放送信号を受信する。
【００２２】
第５の発明によれば、携帯端末は、デジタル放送波受信手段の受信レベルに基づいて、ＤＣＤＣコンバータのＰＦＭ制御モードまたはＰＦＭ制御回路と、ＰＷＭ制御モードまたはＰＷＭ制御回路とを切り替えることができる。これによって、デジタルＴＶの映像品質を良好な状態に保ちつつ、携帯端末の連続使用時間が短くなるのを抑制することができる。
【発明の効果】
【００２３】
この発明によれば、放送波受信手段つまり、ＴＶチューナなどの受信レベルに基づいてＤＣＤＣコンバータのスイッチング制御回路を切り替えることができるため、ＴＶの映像品質を良好な状態に保ちつつ、携帯端末の連続使用時間が短くなるのを抑制することができる。
【００２４】
この発明の上述の目的、その他の目的、特徴および利点は、図面を参照して行う以下の実施例の詳細な説明から一層明らかとなろう。
【発明を実施するための最良の形態】
【００２５】
図１を参照して、この実施例の携帯端末１０は、通信端末１２を含む。通信端末１２は、無線電話機の通信方式による無線通信で他の通信端末との通信が可能である。また、通信端末１２は、キー入力装置１６によってデジタルＴＶ視聴モードが選択されると、デジタルＴＶ受像機として機能する。
【００２６】
ＤＴＶチューナ２０は、通信端末１２を介してキー入力装置１６によって選局操作がされると、アンテナ１８によって受信したデジタル放送信号から選局されたチャンネルに対応するデジタル放送信号を抽出する。また、ＤＴＶチューナ２０は、その抽出したデジタル放送信号に対してデジタル復調等の処理を行い、復調信号を生成する。さらに、ＤＴＶチューナ２０は、復調信号を通信端末１２に出力すると共に、デジタル放送信号の電界強度を示す電界強度信号をプロセッサ２２に出力する。
【００２７】
通信端末１２は、復調信号に対してＭＰＥＧ方式に基づいた復号処理を行い、映像信号を形成する。また、通信端末１２は、映像信号をディスプレイ１４に出力する。そして、ディスプレイ１４は、デジタル放送による映像を表示する。
【００２８】
ＤＣＤＣコンバータ２４は、直流電圧変換器としてバッテリィ２６から供給された直流電圧を携帯端末１０に対応する直流電圧に変換し、通信端末１２，ディスプレイ１４，ＤＴＶチューナ２０およびプロセッサ２２のそれぞれに直流電圧を供給する。また、ＤＣＤＣコンバータ２４は、そのスイッチング制御モードにＰＦＭ制御モードまたはＰＷＭ制御モードを用いる。さらに、ＤＣＤＣコンバータ２４は、プロセッサ２２から出力される制御信号によってＰＷＭ制御モードとＰＦＭ制御モードとを切り替える。
【００２９】
図２を参照して、ＤＣＤＣコンバータ２４の回路構成を説明する。ＤＣＤＣコンバータ２４は、入力端子Ｖｉｎ，出力端子Ｖｏｕｔ，破線で囲まれたスイッチング制御部２８および一点鎖線で囲まれた変換部３０を備える。
【００３０】
スイッチング制御部２８は、ＰＦＭ制御モードとしてＰＦＭ制御回路３２，ＰＷＭ制御モードとしてＰＷＭ制御回路３４およびスイッチＳＷ３６を含み、ＤＣＤＣコンバータ２４のスイッチング制御を行う。また、スイッチング制御部２８は、ＰＦＭ制御回路３２およびＰＷＭ制御回路３４のそれぞれに、変換部３０から変換後の直流電圧を供給される。
【００３１】
ＰＦＭ制御回路３２は、変換部３０からの出力に応じて、周期が一定でパルス幅を変えたクロック信号ＣＬａをスイッチ端子３６ａに出力する。ＰＷＭ制御回路３４は、変換部３０からの出力に応じて、正パルスの幅が一定で周期およびデューティー比を変えたクロックＣＬｂ信号をスイッチ端子３６ｂに出力する。スイッチＳＷ３６は、スイッチ端子３６ａおよびスイッチ端子３６ｂを含む。また、スイッチＳＷ３６は、プロセッサ２２から出力される制御信号によってスイッチ端子３６ａとスイッチ端子３６ｂとを切り替えられる。つまり、スイッチング制御部２８は、スイッチＳＷ３６を切り替えられることで、クロック信号ＣＬａまたはクロック信号ＣＬｂを変換部３０へ出力する。
【００３２】
変換部３０は、スイッチＭＯＳＦＥＴ Ｑ３８，ショットキーバリアダイオードＤ４０，インダクタＬ４２およびフィルタ容量Ｃ４４を含み、入力端子Ｖｉｎから出力された直流電圧を変換する。また、変換部３０は変換した直流電圧を出力端子Ｖｏｕｔから出力すると共に、変換した直流電圧をＰＦＭ制御回路３２およびＰＷＭ制御回路３４のそれぞれに供給する。
【００３３】
スイッチＭＯＳＦＥＴ Ｑ３８は、入力端子Ｖｉｎに接続され、スイッチング制御部２８からクロック信号ＣＬａまたはクロック信号ＣＬｂをゲートに受けて動作する。ショットキーバリアダイオードＤ４０は、入力端子Ｖｉｎと接地点Ｇａとの間に逆方向で、スイッチＭＯＳＦＥＴＱ３８と共に直列形態に接続される。インダクタＬ４２は、スイッチＭＯＳＦＥＴ Ｑ３８およびショットキーバリアダイオードＤ４０の接続ノードｎと、出力端子Ｖｏｕｔとの間に接続される。フィルタ容量Ｃ４４は、出力端子Ｖｏｕｔと接地点Ｇｂとの間に接続される。
【００３４】
また、ＤＣＤＣコンバータ２４は、ＰＦＭ制御回路３２によってスイッチング制御を行うと、消費する電力は小さいが、発生するノイズは多くなる。さらに、ＤＣＤＣコンバータ２４は、ＰＷＭ制御回路３４によってスイッチング制御を行うと、消費する電力は大きいが、発生するノイズは少なくなる。つまり、ＤＣＤＣコンバータ２４は、プロセッサ２２から出力される制御信号によってスイッチング制御方式および消費する電力を切り替えられる。
【００３５】
上述のように、通信端末１２は、キー入力装置１６によってデジタルＴＶ視聴モードが選択されると、デジタルＴＶ受像機として機能する。デジタル放送信号の電界強度が弱い状態では、ＤＣＤＣコンバータ２４がＰＦＭ制御回路３２によってスイッチング制御を行うと、ＤＣＤＣコンバータ２４から発生するノイズの影響によってデジタルＴＶの映像品質が劣化する。また、デジタルＴＶの映像品質を考慮して、常にＤＣＤＣコンバータ２４がＰＷＭ制御回路３４によってスイッチング制御を行うようにすると、ＤＣＤＣコンバータ２４の消費する電力が大きくなり、携帯端末１０の連続使用時間が短くなる。
【００３６】
そこで、ＤＴＶチューナ２０が受信するデジタル放送信号の電界強度に基づいて、ＰＦＭ制御回路３２とＰＷＭ制御回路３４とを切り替えることができるようにする。
【００３７】
具体的には、プロセッサ２２は、ＤＴＶチューナ２０が出力する電界強度信号を監視し、閾値によってデジタル放送信号の電界強度が強い状態か否かを判定する。ここで、電界強度信号が、閾値以上では、デジタル放送信号の電界強度が強い状態と判定され、閾値未満では、デジタル放送信号の電界強度が弱い状態と判定される。そして、プロセッサ２２は、デジタル放送信号の電界強度が強い状態と判定すれば、ＤＣＤＣコンバータ２４がＰＦＭ制御回路３２によってスイッチング制御を行うように制御信号を出力し、デジタル放送信号の電界強度が弱い状態と判定すれば、ＤＣＤＣコンバータ２４がＰＷＭ制御回路３４によってスイッチング制御を行うように制御信号を出力する。
【００３８】
これによって、携帯端末１０は、デジタル放送信号の電界強度に基づいてＰＦＭ制御回路３２とＰＷＭ制御回路３４とを切り替えることができる。よって、携帯端末１０のデジタルＴＶ視聴モードでは、デジタルＴＶの映像品質を良好な状態に保ちつつ、携帯端末１０の連続使用時間が短くなるのを抑制することができる。
【００３９】
図３を参照して、プロセッサ２２の動作に付いて説明する。ステップＳ１では、ＤＴＶチューナ２０から出力された電界強度信号を監視する。続いてステップＳ３では、監視をしている電界強度信号が閾値以上か否かを判定する。判定結果は、電界強度信号が閾値以上であれば、ＤＣＤＣコンバータ２４がＰＦＭ制御回路３２によってスイッチング制御を行うようにＹＥＳを示し、電界強度信号が閾値未満であれば、ＤＣＤＣコンバータ２４がＰＷＭ制御回路３４によってスイッチング制御を行うようにＮＯを示す。
【００４０】
ステップＳ３でＹＥＳであれば、ステップＳ５に進み、スイッチ端子３６ａをオンさせる制御信号を出力する。すなわち、ＤＣＤＣコンバータ２４は、ＰＦＭ制御回路３２によってスイッチング制御を行う。ステップＳ３でＮＯであれば、ステップＳ７に進み、スイッチ端子３６ｂをオンさせる制御信号を出力する。すなわち、ＤＣＤＣコンバータ２４は、ＰＷＭ制御回路３４によってスイッチング制御を行う。
【００４１】
そして、ステップＳ５またはステップＳ７の処理が完了すると、再び、ＤＴＶチューナ２０から出力された電界強度信号を監視するために、ステップＳ１に戻る。
【００４２】
以上の説明から分かるように、携帯端末１０は、ＰＦＭ制御回路３２およびＰＷＭ制御回路３４のいずれか一つを選択してスイッチング制御を行うＤＣＤＣコンバータ２４と、ＤＴＶチューナ２０とを有する。プロセッサ２２は、デジタル放送信号の電界強度を示す電界強度信号によって、ＤＣＤＣコンバータ２４にＰＦＭ制御回路３２またはＰＷＭ制御回路３４を選択させる。よって、デジタル放送信号の電界強度に基づいてＰＦＭ制御回路３２とＰＷＭ制御回路３４とを切り替えることができるため、デジタルＴＶの映像品質を良好な状態に保ちつつ、携帯端末１０の連続使用時間が短くなるのを抑制することができる。
【００４３】
なお、本実施例に適用するＤＣＤＣコンバータ２４は昇圧型，降圧型および昇降圧型のいずれの種類のＤＣＤＣコンバータを用いてもよい。また、ＤＣＤＣコンバータ２４の変換部３０の回路構成は、変換部３０と同じ機能を有する回路構成にすることができるのであれば、他の回路素子を用いて構成してもよい。
【００４４】
また、ＤＣＤＣコンバータ２４は、ＰＦＭ制御回路３２とＰＷＭ制御回路３４との２つのスイッチング制御回路によってスイッチング制御を行っているが、ＰＦＭ動作モードおよびＰＷＭ制御モードを切り替えることができる１つのスイッチング制御回路でスイッチング制御を行ってもよい。
【００４５】
また、デジタル放送信号の電界強度に代えて、アナログ放送信号などを含む放送信号の電界強度によって、ＤＣＤＣコンバータ２４のスイッチング制御回路を切り替えてもよい。したがって、ＤＴＶチューナ２０に代えて、アナログ放送信号などを受信する放送用チューナを用いてもよい。
【００４６】
また、携帯端末１０の無線電話機の通信方式には、ＣＤＭＡ方式，ＰＨＳ方式，ＴＤＭＡ方式およびＷ‐ＣＤＭＡ方式などを用いてもよい。
【図面の簡単な説明】
【００４７】
【図１】この発明の一実施例を示すブロック図である。
【図２】図１実施例に適用されるＤＣＤＣコンバータの構成の一例を示すブロック      図である。
【図３】図１実施例に適用されるプロセッサの処理動作の一部を示すフロー図であ      る。
【符号の説明】
【００４８】
１０    …  携帯端末
１２    …  通信端末
１４    …  ディスプレイ
１６    …  キー入力装置
１８    …  アンテナ
２０    …  ＤＴＶチューナ
２２    …  プロセッサ
２４    …  ＤＣＤＣコンバータ
２６    …  バッテリィ
【図１】
2009033591.tif 000003
【図２】
2009033591.tif 000004
【図３】
2009033591.tif 000005